(57)【特許請求の範囲】
【請求項１】
ホース本体が内面ゴム層、主補強層、流出流体吸収層、補助補強層及び外面ゴム層を順次積層してなると共に、ホース本体の両端に接続フランジを取り付け、かつ前記補助補強層が内圧を受けると伸縮、蛇行または捩じれの変形が生ずる流体移送用ホースにおいて、
前記外面ゴム層にホース長手方向に沿って可撓性チューブを埋設し、該可撓性チューブに紐状部材を移動可能に挿通させ、該紐状部材の一端を前記両端の接続フランジのうちの片方または該可撓性チューブの端部に固定し、かつ他端を自由端とすると共に、該可撓性チューブにおける該紐状部材の自由端に対応する位置に、前記ホース本体の変形に伴う該自由端の移動を目視観察できると共に、触手確認できる開口の観察窓を形成し、前記ホース本体に異常な変形が生じたとき、前記自由端が前記観察窓から観察できない位置に移動するようにした流体移送用ホース。
【請求項２】
ホース本体が内面ゴム層、主補強層、流出流体吸収層、補助補強層及び外面ゴム層を順次積層してなると共に、ホース本体の両端に接続フランジを取り付け、かつ前記補助補強層が内圧を受けると伸縮、蛇行または捩じれの変形が生ずる流体移送用ホースにおいて、
前記ホース本体の外表面にホース長手方向に沿って所定の間隔で複数のリング部材を設け、該リング部材に紐状部材を挿通させると共に、該紐状部材の一端を前記両端の接続フランジのうちの片方に固定し、かつ他端を前記複数のリング部材のうち他方の接続フランジ側に位置する最外側のリング部材の外側へ延長する自由端とし、前記ホース本体に異常な変形が生じたとき、前記自由端が前記最外側のリング部材から外れるようにした流体移送用ホース。
【請求項３】
ホース本体が内面ゴム層、主補強層、流出流体吸収層、補助補強層及び外面ゴム層を順次積層してなると共に、ホース本体の両端に接続フランジを取り付け、かつ前記補助補強層が内圧を受けると伸縮、蛇行または捩じれの変形が生ずる流体移送用ホースにおいて、
前記外面ゴム層にホース長手方向に沿って延びる可撓性チューブを埋設し、該可撓性チューブの一端から他端へ紐状部材を挿通させると共に、該紐状部材の中央部を前記ホース本体に固定し、かつ両端を該可撓性チューブの端部外側へ延長する自由端とし、前記ホース本体に異常な変形が生じたとき、前記自由端が前記可撓性チューブ内に移動するようにした流体移送用ホース。
【発明の詳細な説明】
【０００１】
【発明の属する技術分野】
この発明は、石油等を輸送する流体移送用ホースに係わり、更に詳しくは水面上または水面下において石油等の流体を移送するタブルカーカスの移送用ホースにおいて、流体の移送中に油漏れ等が生じると変形するホース異常を外部から容易に検知することが出来る流体移送用ホースに関するものである。
【０００２】
【従来の技術】
従来、石油等の流体を輸送する流体移送用ホースには、輸送中に油漏れ等が生じた場合に、重大な事故の発生を未然に防止する目的から流体漏れ異常検出手段が設けられている。
例えば、内面ゴム層、主補強層、流出流体吸収層、補助補強層、外面ゴム層を順次積層したタブルカーカスの流体移送用ホースにおいては、流体漏れ等により補助補強層が内圧を受けると、ホース本体が伸長したり、蛇行したり、或いは捩じれ等の変形が生ずるホースや、ホース本体の端部に、異常であることを表示させる手段を設けたホースや、更には流体が漏洩したホースが、他の正常なホースに比較して液面から沈み込むように構成したホース等が提案され、これらの異常は外部から視覚により観察出来るようになっている。
【０００３】
【発明が解決しようとする課題】
然しながら、上記のような従来の流体漏れ異常検出手段は、構造あるいは機構が複雑で、異常の検知を正確、かつ確実に行うのは難しく、更に海中等に敷設されるホースの場合には、目視により異常検知を行うことが難しいと言う問題があった。
この発明の目的は、簡単な機構により、流体の漏洩を確実に検知することが出来、また目視により検知が困難である場合にも、触手により異常を確実に検知することが出来る流体移送用ホースを提供することにある。
【０００４】
【課題を解決するための手段】
上記目的を達成する第１の本発明の流体移送用ホースは、ホース本体が内面ゴム層、主補強層、流出流体吸収層、補助補強層及び外面ゴム層を順次積層してなると共に、ホース本体の両端に接続フランジを取り付け、かつ前記補助補強層が内圧を受けると伸縮、蛇行または捩じれの変形が生ずる流体移送用ホースにおいて、前記外面ゴム層にホース長手方向に沿って可撓性チューブを埋設し、該可撓性チューブに紐状部材を移動可能に挿通させ、該紐状部材の一端を前記両端の接続フランジのうちの片方または該可撓性チューブの端部に固定し、かつ他端を自由端とすると共に、該可撓性チューブにおける該紐状部材の自由端に対応する位置に、前記ホース本体の変形に伴う該自由端の移動を目視観察できると共に、触手確認できる開口の観察窓を形成し、前記ホース本体に異常な変形が生じたとき、前記自由端が前記観察窓から観察できない位置に移動するようにしたことを要旨とするものである。
上記目的を達成する第２の本発明の流体移送用ホースは、ホース本体が内面ゴム層、主補強層、流出流体吸収層、補助補強層及び外面ゴム層を順次積層してなると共に、ホース本体の両端に接続フランジを取り付け、かつ前記補助補強層が内圧を受けると伸縮、蛇行または捩じれの変形が生ずる流体移送用ホースにおいて、
前記ホース本体の外表面にホース長手方向に沿って所定の間隔で複数のリング部材を設け、該リング部材に紐状部材を挿通させると共に、該紐状部材の一端を前記両端の接続フランジのうちの片方に固定し、かつ他端を前記複数のリング部材のうち他方の接続フランジ側に位置する最外側のリング部材の外側へ延長する自由端とし、前記ホース本体に異常な変形が生じたとき、前記自由端が前記最外側のリング部材から外れるようにしたことを特徴とするものである。
上記目的を達成する第３の本発明の流体移送用ホースは、ホース本体が内面ゴム層、主補強層、流出流体吸収層、補助補強層及び外面ゴム層を順次積層してなると共に、ホース本体の両端に接続フランジを取り付け、かつ前記補助補強層が内圧を受けると伸縮、蛇行または捩じれの変形が生ずる流体移送用ホースにおいて、前記外面ゴム層にホース長手方向に沿って延びる可撓性チューブを埋設し、該可撓性チューブの一端から他端へ紐状部材を挿通させると共に、該紐状部材の中央部を前記ホース本体に固定し、かつ両端を該可撓性チューブの端部外側へ延長する自由端とし、前記ホース本体に異常な変形が生じたとき、前記自由端が前記可撓性チューブ内に移動するようにしたことを要旨とするものである。
この発明は、上記のように構成されているので、流体漏洩が生じた異常ホースの変形を、ホース本体に付設した異常検出手段により確実に、しかも正確に検知することが出来、また視認が困難な場所に敷設されるホースの場合には、触手により確実に検知することが出来るものである。
【０００５】
【発明の実施の形態】
以下、添付図面に基づき、この発明の実施形態を説明する。図１は、第１発明の実施形態を示す流体移送用ホース（この実施形態ではマリンホースを示している。）の正面図、図２は図１のＸ部の一部拡大図、図３は図１のＡ−Ａ矢視断面図を示し、ホース本体１は、内面ゴム層２、主補強層３、流出流体吸収層４、補助補強層５、外面ゴム層６を順次積層したタブルカーカスホースとして構成され、前記補助補強層５は、流体が漏洩して流出流体吸収層４に移送流体が吸収されるとホース本体１を変形（伸びまたは捩じれ）させる構造になっている。
【０００６】
前記ホース本体１の表面長手方向には、ホース本体１に異常が発生した場合に外部から認識できる流体漏れ異常検出手段７が設けられ、この流体漏れ異常検出手段７は、第１発明の実施形態では、ホース本体１の外面ゴム層６内に、長手方向に添って透明または非透明な可撓性チューブ１０が埋設してあり、この可撓性チューブ１０内に、ステンレスワイヤー，合成繊維ロープ，合成繊維チェン等から構成された紐状部材８を移動可能に挿通し、この紐状部材８の一端８ａは、ホース本体１の接続フランジ９に固定し、他端８ｂを自由端としてある。また、紐状部材８の自由端となる他端８ｂ側の可撓性チューブ１０には、ホース本体１の変形時における自由端の移動を外部から観察できる観察窓１１が形成されている。
【０００７】
従って、ホース本体１に流体漏れ等により異常が発生した場合、図４及図５に示すように、ホース本体１の変形（伸びまたは捩じれ）に伴い可撓性チューブ１０は伸びるが、紐状部材８は伸びないので、結果として紐状部材８の他端８ｂ（自由端）は相対的に移動して観察窓１１から観察できない位置に移動してしまい、紐状部材８の自由端８ｂが観察窓１１から確認できないことで、ホース本体１の流体漏れ異常を検知することが出来るものである。
換言すれば、可撓性チューブ１０の観察窓１１から紐状部材８の自由端が見えなくなった時には、ホース本体１は異常であり、移送流体は漏れて流出流体吸収層４に滞留している。またホース本体１が海中または海底に敷設されている時には、例えダイバーでもホース本体１を目視することが困難な場合があるが、そのような時でも、この発明の実施形態では、観察窓１１における紐状部材８の自由端の有無を触手することにより容易に検知することが出来るものである。
【０００８】
なお、上記の第１発明の実施形態では、紐状部材８を可撓性チューブ１０内に挿通させて一端を固定する構成としているが、第２発明の実施形態は、図６に示すように、ホース本体１の表面長手方向に、所定の間隔を隔てて複数のリング部材１２を設け、該複数のリング部材１２の内側に紐状部材８を挿通させ、この紐状部材８の一端８ａは、ホース本体１の接続フランジ９に固定し、他端８ｂを自由端とするものである。そして、ホース本体１に流体漏れ等により異常が発生した場合、紐状部材８の自由端（他端８ｂ）が最外側のリング部材１２から外れることにより、移送流体の異常を検知することが出来るものである。
【０００９】
また、図７は第３発明の実施形態を示し、この実施形態は、ホース本体１の外面ゴム層６内に、長手方向に添って可撓性チューブ１０が埋設してあり、この可撓性チューブ１０内に紐状部材８を移動可能に挿通し、紐状部材８の長さの中間部８ｃをホース本体１に固定し、一端８ａと他端８ｂを固定しない自由端としたものである。このように構成することで、ホース本体１に流体漏れ等により異常が発生した場合、ホース本体１の変形（伸びまたは捩じれ）に伴い紐状部材８の一端８ａ（自由端）と他端８ｂ（自由端）は相対的に移動し、これを外部から観察することで、ホース本体１の流体漏れ異常を検知することが出来るものである。
【００１０】
上記の各実施形態において、紐状部材８の他端８ｂ（自由端）は、ホース本体１の正常時には、常に一定の箇所に定置しているように、異常時のホース本体１の変形により容易に切断し、または外れる程度の強度の留め具で固定しておくことが望ましい。
【００１１】
【発明の効果】
この発明は、上記のように一端を固定し、他端を自由端とした紐状部材をホース本体の長手方向に添わせて設け、この紐状部材の自由端が前記ホース本体の変形に伴って移動するように構成したので、以下のような優れた効果を奏するものである。
（１）移送流体の漏洩を検知する構成及び機構が簡単であり、異常検知を確実に行うことが出来る。
（２）視覚は勿論の事、触手により異常検知ができるので、海中に敷設されるホース本体の場合等、目視により異常検知が難しい場合でもホース本体の異常検知を確実に行うことが出来る。
【図面の簡単な説明】
【図１】第１発明の実施形態を示す流体移送用ホースの正面図である。
【図２】図１のＸ部の一部拡大図である。
【図３】図１のＡ−Ａ矢視断面図である。
【図４】ホース本体の異常時における変形状態を示す説明図である。
【図５】図４のＹ部の一部拡大図である。
【図６】第２発明の実施形態を示す流体移送用ホースの正面図である。
【図７】第３発明の実施形態を示す流体移送用ホースの正面図である。
【符号の説明】
１ ホース本体
２ 内面ゴム層
３ 主補強層
４ 流出流体吸収層
５ 補助補強層
６ 外面ゴム層
７ 流体漏れ異常検出手段
８ 紐状部材
８ａ 紐状部材の一端
８ｂ 紐状部材の他端
８ｃ 紐状部材の中間部
９ 接続フランジ
１０ 可撓性チューブ
１１ 観察窓
１２ リング部材
【図１】
0004162789.tif 000002
【図２】
0004162789.tif 000003
【図３】
0004162789.tif 000004
【図４】
0004162789.tif 000005
【図５】
0004162789.tif 000006
【図６】
0004162789.tif 000007
【図７】
0004162789.tif 000008